(57)【要約】      （修正有）【課題】横向き移動タイプの２層のカーテンとその横向き移動装置を提供する。【解決手段】上端レール２０、下端レール３０、横向き移動装置４０、スラットロープセット５０及び連動部材６０を少なくとも含み、上端レールの内部に横向き移動装置を設置し、前記横向き移動装置はスラットロープセットの連結により上端レールの一端にピボットする連動部材の第一スラット５１を引いて動かし、同期をとって移動させ、２層のカーテンの第一、第二スラット５２の相互折畳みによる明るさを効果的に向上するようになり、自分で太陽光の明るさを調整することができる。【選択図】図１
0003151217.tif 000002
【実用新案登録請求の範囲】
【請求項１】
前記カーテンの上端レールに設置され、前記横向き移動装置と上端レール及び下端レールの間に第一、第二スラットと第一、第二ロープからなるスラットロープセット連結関係を有する２層のカーテンの横向き移動装置において、前記横向き移動装置は少なくとも
それぞれ上端レール両端に設置される第一、第二プレートブロックと、
前記上端レールに固定され案内滑車を設置する位置決めブロックと、
前記上端レールに設置され、その両端にそれぞれ前記第一、第二プレートブロックを設置する係止バーと、
上端に突起ブロックを有しそれぞれ上端レールから貫通し第一、第二プレートブロックの底部を固定し縁端に下向き垂直プレートを設置する第一、第二ロックプレートを含むことを特徴とする2層のカーテンの横向き移動装置。
【請求項２】
前記第一プレートブロックの一端に複数個のロック孔を設置し、前記第二プレートブロックの一端に複数個のロック孔を設置し、これらのロック孔は第一、第二ロックプレートがそれぞれ第一、第二プレートブロックの底部に固定されることを特徴とする請求項１に記載の横向き移動タイプの２層のカーテン。
【請求項３】
前記第一スラット、第二スラットはシマウマシェードのスラットであることを特徴とする請求項１に記載の横向き移動タイプの２層のカーテン。
【請求項４】
前記スラットロープセットの第一ロープは前記第一、第二プレートブロックの第一孔に固定され上端レールから貫通し、第二ロープは第一プレートブロックの第二孔に固定され、位置決めブロックの案内滑車を経過し上端レールを貫通することを特徴とする請求項１に記載の横向き移動タイプの2層のカーテン。
【請求項５】
前記スラットロープセットの第一スラットの一端はそれぞれ前記第一、第二ロックプレートにある垂直プレートにピボットされ、前記第一ロープ及び第二ロープにより前記スラットロープセットの第一スラットを往復に移動させることを特徴とする請求項４に記載の横向き移動タイプの2層のカーテン。
【請求項６】
上端レール、下端レール、連動部材と、横向き移動装置とスラットロープセットからなる横向き移動タイプの２層のカーテンであって、前記横向き移動装置は少なくとも
それぞれ上端レール両端に設置される第一、第二プレートブロックと、
前記上端レールに固定され案内滑車を設置する位置決めブロックと、
前記上端レールに設置され、その両端にそれぞれ前記第一、第二プレートブロックを設置する係止バーと、
上端に突起ブロックを有しそれぞれ上端レールから貫通し第一、第二プレートブロックの底部を固定し縁端に下向き垂直プレートを設置する第一、第二ロックプレートを含むことを特徴とする請求項１に記載の横向き移動タイプの２層のカーテン。
【請求項７】
前記スラットロープセットの第一ロープは前記第一プレートブロックの第一孔に固定され上端レールから貫通し、第二ロープは第一プレートブロックの第二孔に固定され、位置決めブロックの案内滑車を経過し上端レールを貫通し、前記第一ロープ及び第二ロープにより前記第一、第二プレートブロック及び前記係止バーを往復に移動させることを特徴とする請求項６に記載の横向き移動タイプの２層のカーテン。
【請求項８】
前記スラットロープセットの第一スラットの一端はそれぞれ前記第一、第二ロックプレートにある垂直プレートにピボットされ、前記第一ロープ及び第二ロープにより前記スラットロープセットの第一スラットを往復に移動させることを特徴とする請求項１に記載の横向き移動タイプの2層のカーテン。
【請求項９】
前記連動部材はさらに前記上端レールの一端或いは他端のいずれか一つに設置される制御モジュールを含むことを特徴とする請求項６に記載の横向き移動タイプの2層のカーテン。
【請求項１０】
前記制御モジュールの側端に連動部材と連結する自動巻き装置を設置することを特徴とする請求項９に記載の横向き移動タイプの２層のカーテン。
【考案の詳細な説明】
【技術分野】
【０００１】
本考案は、横向き移動タイプの２層のカーテンとその横向き移動装置に関するものである。
【背景技術】
【０００２】
現在の市場においては、ルーバーカーテンやローマカーテン等、数種類のカーテン構造があるが、その中でも主要なものは、住居の戸や窓といった場所に設置され、太陽の光を遮ることや装飾機能を目的として使用されるが、上述する各カーテン構造は光線の明るさを調整するために使用する上で、カーテンを上に巻いて収納することで全面に光線が現れる、前述した各カーテン構造では使用する際に以下のような問題があり、
前記常用の各カーテン構造はカーテンの光線を調節するとき、使用者がカーテン全面を巻き上げることで光線が射し込むようになり、その光線の射し込み程度は使用者が必要な光線に適さず、適度に調整することが難しく実用性がない上にカーテン装置の使用全体に影響を及ぼしている。      
【考案の開示】
【考案が解決しようとする課題】
【０００３】
本考案は横向き移動タイプの２層のカーテンとその横向き移動装置を提供し、前述した従来のカーテン構造では光線の射し込み程度を適度に調整することが難しい問題を改善し、改良した横向き移動タイプの２層のカーテンとその横向き移動装置である。
【課題を解決するための手段】
【０００４】
前述した考案の目的を達するため、本考案の技術手段は横向き移動タイプの２層カーテンとその横向き移動装置を提供し、前記２層のカーテンは上端レール、下端レール、横向き移動装置、スラットロープセット及び連動部材を含み、その装置は上端レール内部の横向き移動装置にあり、横向き移動装置とスラットロープセット及びその連動部材の連結関係で、横向き移動装置とスラットロープセットの間で同期をとって移動させ、２層のカーテンが横向き移動装置により自分で光線の明るさを調整する。
【考案の効果】
【０００５】
本考案は上端レール内部に設置された横向き移動装置を利用し、前記横向き移動装置は、ロープセットの連結と上端レール一端の連動部材にピボットする第一スラットを引いて動かすことで同期をとって移動し、２層のカーテンの第一スラットと第二スラットの相互折り畳みによる明るさを効果的に調整するようになり、自分で光線の明るさを調整することができる。
【考案を実施するための最良の形態】
【０００６】
参考図１、２が示すように、本考案は２層のカーテン１０の上端レール２０内部に取りつけた横向き移動装置４０であり、横向き移動装置４０とスラットロープセット５０及びその連動部材６０の連結関係により、横向き移動装置４０とスラットロープセット５０の間で同期をとって移動し、２層のカーテン１０が横向き移動装置４０により、自分で光線の明るさを調整する、図式が掲示する実施例において、本考案の２層のカーテン１０は上端レール２０、下端レール３０、横向き移動装置４０、スラットロープセット５０及び連動部材６０を含み、      
前記上端レール２０は、中空状の長方形レールであり、そのレール内部には二つのロック溝２０１が設置され、その端の延長に案内溝２０２が設置され、近くの二端にはそれぞれ第一、第二貫通孔２１、２２を、一端の前には第一、第二孔２３、２４を有する。
【０００７】
前記下端レール３０は、上端レール２０の下端に一定の間隔で設置される円形レールであり、円形レールの上端には切り口溝３１を設置し、切り口溝３１の傍には溝３２を設置する。
【０００８】
前記横向き移動装置４０は、第一、第二プレートブロック４１、４２、位置決めプレート４３、係止バー４４及び適する第一、第二ロックプレート４５、４６を少なくとも含み、前記第一、第二プレートブロック４１、４２はそれぞれ上端レール２０の第一、第二貫通孔２１、２２の上端に設置され、案内溝２０２の両端で反復して移動し、第一プレートブロック４１の一端には第一嵌め孔４１１及び複数個のロック孔４１２があり、他端には第一、第二孔４１３、４１４を設置し、底部に第一係止溝４１５を設置し、前記第二プレートブロック４２の一端には第一プレートブロック４１第一嵌め孔４１１に適する第二嵌め孔4２１が設置され、その端面には複数個のロック孔４２２を設置し、底部には第一プレートブロック４１係止溝４１５に適する第二係止バー４２３が設置され、前記位置決めブロック４３は上端レール２０のレール案内溝２０２かつ近くの第一プレートブロック４１に固定され、一端の下端には案内滑車４３１を設置し、前記係止バー４４は第一、第二プレートブロック４１、４２底部の第一係止溝４１５、第二係止溝４２３に設置され、両端でそれぞれ係止ブロック４４１，４４２を形成し、各自は第一、第二プレートブロック４１、４２の第一嵌め孔４１１、第二嵌め孔４２１で位置を決め、前期第一、第二ロックプレート４５、４６の上端にロック孔４５２、４６２の突起ブロック４５１、４６１を有し、突起ブロック４５１、４６１はそれぞれ第一、第二貫通孔２１、２２に貫通し、第一、第二プレートブロック４１、４２の底部で固定し、中央には係止バー４４を差し込む溝４５３、４６３があり、縁端に下向き垂直プレート４５４、４６４を設置し、その垂直プレート４５４上に貫通孔４５５を設置し、別の垂直プレート４６４上に孔４６５を設置する。
【０００９】
前記スラットロープセット５０は上端レール２０及び下端レール３０の間に設置され、図１、図３が示すように、主に第一スラット５１、第二スラット５２及びロープセット５３を含み、図に示す実施例のとおり、前記第一スラット５１はシマウマシェードのスラットであり、前記第一スラット５１の一端は上端レール２0の底部に設置され、それぞれ第一、第二ロックプレート４５、４６の垂直プレート４５４、４６４にピボットされ、前記第一ロープ５３１及び前記第二ロープ５３２により前記スラットロープセット５０の第一スラット５１を往復に移動させ、一端の軸心５１１は、第一ロックプレート４５の貫通孔４５５から突出して、第一孔６３２に差込み、他端の軸孔５１２は第三歯車６１６の連動軸５１３にピボットしてコネクタになり、他端は切り口溝３１により下端レール３０内部に設置され、第二スラット５２の一端は第一スラット５１の下端に設置され、軸心５２１の両側を利用して、それぞれ第二孔６３３と第五歯車６１８の四方孔６１８１中でピボットされ、他端は下端レール３０の溝３２の中にはめ込まれ、またロープセット５３第一ロープ５３１は第一プレートブロック４１の第一孔４１３で固定され、上端レール２０の第一孔２３を貫通し、第二ロープ５３２は第一プレートブロック４１の第二孔４１４で固定され、位置決めブロック４３の案内滑車４３１を経過し上端レール２０の第二孔２４を貫通する。
【００１０】
図１、図２が示すとおり、前記連動部材６０はそれぞれ上端レール２０両側の第一、第二嵌め蓋６２、６３をカバーし、第一嵌め蓋６２内部の制御モジュール６１と制御モジュール６１とピボットする連動軸５１３を設置することを含む。前記第一嵌め蓋６２は収納室６２１のケース本体６２２および蓋体６２３を有し、ケース本体６２２の一端上に上端レール２０のレールにはめ込んだ第一係止体６２４を設置し、収納室６２１上には複数の貫通孔６２５を設置し、蓋体６２３はケース本体６２２の収納室６２１の外側で固定し、そのうえ収納室６２１の複数の貫通孔６２５と適する孔６２３１を設置し、一端上に孤状凸垣６２３２を設置し、前記第二嵌め蓋６３の一端には第一係止体６２４に適する第二係止体６３１を設置し、上端レール２０のレール他端にはめ込み、その上に第一スラット５１の軸心５１１の一端が第一ブロックプレート４５の貫通孔４５５を通り抜けて貫通する第一孔６３２、及び第二スラット５２の軸心５２１の一端がピボットする第二孔６３３をそれぞれ設置し、
前記制御モジュール６１は、蓋体６２３の弧状凸垣６２３２下端の連動車６１１とその上に嵌め込むロープチェーン６１２に設置するピボット、及びケース本体６２２の収納室６２１中の歯車セット６１３に設置するピボットから構成され、前記歯車セット６１３は第一、第二、第三、第四歯車６１４、６１５、６１６、６１７及び第五歯車６１８が相互に噛み合って連動し、前記第一歯車６１４の一端はケース体６２２上でピボットし、中央には四方孔６１４１を設け、四方孔６１４１中には蓋体６２３にピボットする連動車６１１の凸軸６１１１を嵌めこみ、第二歯車６１５はその第一歯車６１４のそばで噛みあって接し、両側はそれぞれケース本体６２２及び蓋体６２３上でピボットし、その一端には歯車６１５１を設置し、第三歯車６１６はその第二歯車６１５の下端で歯車６１５１と噛み合って接し、その中央には四方孔６１６１を設け、四方孔６１６１中には第一スラット５１の軸心５１１の他端にピボットする連動軸５１３を嵌めこみ、第四歯車６１７はその第三歯車６１６の下端で噛み合って接し、一端の突出部６１７１は緩衝効果がある弾性要素６１９を設置し、第五歯車６１８はその第４歯車６１７の下端で噛み合って接し、中央には四方孔６１８１を設け、四方孔６１８１中では第二スラット５２の軸心５２１にピボットして他端が嵌る。
【００１１】
本考案は、図１、図３が示すように、２層のカーテン１０の第一、第二スラット５１、５２を展開および巻いて収納する操作を応用し、前記横向き移動装置４０は上端レール２０内部に組み込まれ、横向き移動装置４０の第一プレートブロック４１の一端はロープセット５３の第一ロープ５３１から連結して第一孔２３を貫通し、ロープセット５３の第二ロープ５３２の他端は案内滑車４３１を経過して上端レール２０の第二孔２４を伸ばし、第一プレートブロック４１と第二プレートブロック４２の間で係止バー４４により同期をとって移動させ、第二ロープ５３２を引いて動かすとき、第一プレートブロック４１と第二プレートブロック４２の下端で固定する第一スラット５１は第二スラット５２と折り重なり、暗い部分は同期をとって一端へ移動し、シマウマシェードの白黒スラットの第一スラット５１と第二スラット５２は相互に折り重なり、暗い部分が移動して明るくなり、図６が示すように、第一ロープ５３１を引いて動かすとき、第一プレートブロック４１と第二プレートブロック４２の下端で固定する第一スラット５１と第二スラット５２の明るい部分は同期をとって他端へ移動し、シマウマシェード白黒スラットの第一スラット５１と第二スラット５２は、最大の明るさから消費者が自分で調整できる明るさや暗さへと移動する。（図７及び図８にて示す）。
【００１２】
図２、図４が示すように、連動部材６０が第一嵌め蓋６２内部に組込まれた制御モジュール６１は上端レール２０の一端に設置にされ、或いは図９が示すように上端レール２０の他端に設置され、或いは図１０が示すようにその上端レール２０他端の制御モジュール６１の傍に連動部材６０の変速する軸心（図表示はなし）が繋がる自動巻き装置７０装着し、第一、第二スラット５１、５２を巻いて収納するとき、ケース本体６２３の弧状凸垣６２３２下端の制御モジュール６１の連動車６１１に設置されたロープチェーン６１２を引いて動かすには、ロープチェーン６１２を引いて動かし、同時に連動車６１１の一端がピボットする第一歯車６１４は連動し、第一歯車６１４は噛み合って接する第三歯車６１６と第五歯車６１８を同時に動かし、第三歯車６１６と第五歯車６１８がピボットする第一、第二スラット５１、５２は上へ収納（図５にて示す）或いは下へ展開する状態となり（図４にて示す）、こうして、使用者は前述した制御モジュール６１或いは自動巻き装置７０の操作手段を通じて、本考案の２層のカーテン１０の第一、第二スラット５１、５２の動きを効果的に制御し、２層のカーテン１０を巻いて収納または展開することを調節し、優れた利便性を提供する。
【図面の簡単な説明】
【００１３】
【図１】本考案の配置立体分解図である。
【図２】本考案の連動部材立体分解図である。
【図３】本考案の横向き移動装置が第二ロープを引いて動かす概略図である。
【図４】本考案の第一、第二スラット展開前面図である。
【図５】本考案の第一、第二スラット巻き前面図である。
【図６】本考案の横向き移動装置が第一ロープを引いて動かす概略図である。
【図７】本考案の第一、第二スラットが光線の明るさを調整する概略図である。
【図８】本考案の第一、第二スラットが光線の暗さを調整する概略図である。
【図９】本考案の連動部材が上端レールの他端に設置される実施例の前面図である。
【図１０】本考案が連動部材の側端に自動巻き装置を設置する前面図である。
【符号の説明】
【００１４】
２０  上端レール
３０  下端レール
４０  横向き移動装置
４１、４２  第一、第二プレートブロック
４３  位置決めブロック
４３１  案内滑車
４４  係止バー
４５、４６  第一、第二ロックプレート
５０  スラットロープセット
５１、５２  第一、第二スラット
６０  連動部材
６１  制御モジュール
７０  自動巻き装置
５３１、５３２  第一、第二ロープ
４５１、４６１  突起ブロック
４５４、４６４  垂直プレート
４１２、４２２  ロックプレート
４１３  第一孔
４１４  第二孔
５３１  第一ロープ
５３２  第二ロープ
【図１】
0003151217.tif 000003
【図２】
0003151217.tif 000004
【図３】
0003151217.tif 000005
【図４】
0003151217.tif 000006
【図５】
0003151217.tif 000007
【図６】
0003151217.tif 000008
【図７】
0003151217.tif 000009
【図８】
0003151217.tif 000010
【図９】
0003151217.tif 000011
【図１０】
0003151217.tif 000012
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
カーテンの上端レールに設置され、横向き移動装置と上端レール及び下端レールの間に第一、第二スラットと第一、第二ロープからなるスラットロープセット連結関係を有する２層のカーテンの横向き移動装置において、前記横向き移動装置は少なくとも
それぞれ上端レール両端に設置される第一、第二プレートブロックと、
前記上端レールに固定され案内滑車を設置する位置決めブロックと、
前記上端レールに設置され、その両端にそれぞれ前記第一、第二プレートブロックを設置する係止バーと、
上端に突起ブロックを有しそれぞれ上端レールから貫通し第一、第二プレートブロックの底部を固定し縁端に下向き垂直プレートを設置する第一、第二ロックプレートを含むことを特徴とする２層のカーテンの横向き移動装置。
【請求項２】
前記第一プレートブロックの一端に複数個のロック孔を設置し、前記第二プレートブロックの一端に複数個のロック孔を設置し、これらのロック孔は第一、第二ロックプレートがそれぞれ第一、第二プレートブロックの底部に固定されることを特徴とする請求項１に記載の２層のカーテンの横向き移動装置。
【請求項３】
前記第一スラット、第二スラットはシマウマシェードのスラットであることを特徴とする請求項１に記載の２層のカーテンの横向き移動装置。
【請求項４】
前記スラットロープセットの第一ロープは前記第一、第二プレートブロックの第一孔に固定され上端レールから貫通し、第二ロープは第一プレートブロックの第二孔に固定され、位置決めブロックの案内滑車を経過し上端レールを貫通することを特徴とする請求項１に記載の２層のカーテンの横向き移動装置。
【請求項５】
前記スラットロープセットの第一スラットの一端はそれぞれ前記第一、第二ロックプレートにある垂直プレートにピボットされ、前記第一ロープ及び第二ロープにより前記スラットロープセットの第一スラットを往復に移動させることを特徴とする請求項４に記載の２層のカーテンの横向き移動装置。
【請求項６】
上端レール、下端レール、連動部材と、横向き移動装置とスラットロープセットからなる横向き移動タイプの２層のカーテンであって、前記横向き移動装置は少なくとも
それぞれ上端レール両端に設置される第一、第二プレートブロックと、
前記上端レールに固定され案内滑車を設置する位置決めブロックと、
前記上端レールに設置され、その両端にそれぞれ前記第一、第二プレートブロックを設置する係止バーと、
上端に突起ブロックを有しそれぞれ上端レールから貫通し第一、第二プレートブロックの底部を固定し縁端に下向き垂直プレートを設置する第一、第二ロックプレートを含むことを特徴とする横向き移動タイプの２層のカーテン。
【請求項７】
前記スラットロープセットの第一ロープは前記第一プレートブロックの第一孔に固定され上端レールから貫通し、第二ロープは第一プレートブロックの第二孔に固定され、位置決めブロックの案内滑車を経過し上端レールを貫通し、前記第一ロープ及び第二ロープにより前記第一、第二プレートブロック及び前記係止バーを往復に移動させることを特徴とする請求項６に記載の横向き移動タイプの２層のカーテン。
【請求項８】
前記スラットロープセットの第一スラットの一端はそれぞれ前記第一、第二ロックプレートにある垂直プレートにピボットされ、前記第一ロープ及び第二ロープにより前記スラットロープセットの第一スラットを往復に移動させることを特徴とする請求項6に記載の横向き移動タイプの２層のカーテン。
【請求項９】
前記連動部材はさらに前記上端レールの一端或いは他端のいずれか一つに設置される制御モジュールを含むことを特徴とする請求項６に記載の横向き移動タイプの２層のカーテン。
【請求項１０】
前記制御モジュールの側端に連動部材と連結する自動巻き装置を設置することを特徴とする請求項６に記載の横向き移動タイプの２層のカーテン。
【手続補正書】
【提出日】平成21年3月26日(2009.3.26)
【手続補正１】
【補正対象書類名】実用新案登録請求の範囲
【補正対象項目名】請求項８
【補正方法】変更
【補正の内容】
【請求項８】
前記スラットロープセットの第一スラットの一端はそれぞれ前記第一、第二ロックプレートにある垂直プレートにピボットされ、前記第一ロープ及び第二ロープにより前記スラットロープセットの第一スラットを往復に移動させることを特徴とする請求項７に記載の横向き移動タイプの２層のカーテン。
【手続補正２】
【補正対象書類名】実用新案登録請求の範囲
【補正対象項目名】請求項１０
【補正方法】変更
【補正の内容】
【請求項１０】
前記制御モジュールの側端に連動部材と連結する自動巻き装置を設置することを特徴とする請求項９に記載の横向き移動タイプの２層のカーテン。